(57)【要約】【課題】電子装置の電力量を検知し、電力量が低い時に警報を発することができる電力量検知及び警報システム及びその警報装置を提供する。【解決手段】本発明に係る電力量検知及び警報システムは、バッテリと、電力量検知ユニットと、比較ユニットと、第一ＵＳＢポートと、を備える電子装置、及び第一ＵＳＢポートに接続された第二ＵＳＢポートと、制御ユニットと、警報ユニットと、を備える警報装置を備え、電力量検知ユニットはバッテリ及び比較ユニットに接続され、制御ユニットは第二ＵＳＢポート及び警報ユニットに接続され、電力量検知ユニットはバッテリの電力量を検知し、比較ユニットは検知された電力量を参考値と比較し、電力量が参考値より小さい場合、制御信号を第一ＵＳＢポートを介して第二ＵＳＢポートに送信し、制御ユニットは第二ＵＳＢポートから制御信号を受信し、警報ユニットが警報を発するように制御する。【選択図】図１
2015022769.tif 000002
【特許請求の範囲】
【請求項１】
電子装置と、
警報装置と、
を備えてなる電力量検知及び警報システムであって、
前記電子装置は、バッテリと、電力量検知ユニットと、比較ユニットと、第一ＵＳＢポートと、を備え、
前記警報装置は、第二ＵＳＢポートと、制御ユニットと、警報ユニットと、を備え、
前記電力量検知ユニットは、前記バッテリ及び前記比較ユニットに接続され、
前記比較ユニットは、前記第一ＵＳＢポートに接続され、
前記制御ユニットは、前記第二ＵＳＢポート及び前記警報ユニットに接続され、
前記バッテリは、前記電子装置に電力を供給し、
前記電力量検知ユニットは、充前記電バッテリの電力量を検知し、検知した電力量を前記比較ユニットに送信し、
前記比較ユニットは、送信されてきた検知された電力量を参考値と比較し、検知された電力量が参考値より小さい場合、制御信号を前記第一ＵＳＢポートに送信し、
前記第二ＵＳＢポートは、前記第一ＵＳＢポートに接続され、前記電子装置を前記警報装置に接続させ、
前記制御ユニットは、前記第二ＵＳＢポートを介して前記制御信号を受信し、前記警報ユニットが警報を発するように制御することを特徴とする電力量検知及び警報システム。
【請求項２】
前記警報ユニットは、ブザーであることを特徴とする請求項１に記載の電力量検知及び警報システム。
【請求項３】
前記警報装置は、前記第二ＵＳＢポート及び前記警報ユニットに接続される電圧変換ユニットを更に備え、
前記電圧変換ユニットは、前記第二ＵＳＢポートが受信した電圧を前記警報ユニットの作動電圧に変換し、前記警報ユニットに給電することを特徴とする請求項１又は２に記載の電力量検知及び警報システム。
【請求項４】
前記警報ユニットは、ＵＳＢ制御器及び記憶ユニットを更に備え、
前記ＵＳＢ制御器は、前記第二ＵＳＢポート及び前記記憶ユニットに接続され、前記第二ＵＳＢポートが受信したデータを前記記憶ユニットに記憶させ、前記記憶ユニットに記憶されたデータを前記第二ＵＳＢポートを介して前記電子装置に転送することを特徴とする請求項１から３の何れか一項に記載の電力量検知及び警報システム。
【請求項５】
電子装置に接続されるＵＳＢポートと、電圧変換ユニットと、制御ユニットと、警報ユニットと、前記制御ユニットに接続されるＵＳＢ制御器と、前記ＵＳＢ制御器に接続される記憶ユニットと、を備え、
前記警報ユニットは、前記電圧変換ユニット及び前記制御ユニットに接続され、
前記電圧変換ユニットは、前記ＵＳＢポートが受信した電圧を前記警報ユニットの作動電圧に変換し、
前記制御ユニットは、前記ＵＳＢポートを介して前記電子装置から制御信号を受信し、前記警報ユニットが警報を発するように制御し、
前記ＵＳＢ制御器は、前記ＵＳＢポートが受信した記憶データを前記記憶ユニットに記憶させ、前記記憶ユニットに記憶されたデータを前記ＵＳＢポートを介して前記電子装置に転送することを特徴とする警報装置。
【発明の詳細な説明】
【技術分野】
【０００１】
本発明は、電力量検知及び警報システム及びその警報装置に関するものである。
【背景技術】
【０００２】
従来の技術において、使用者は、ノートパソコンを大型ディスプレイ、例えばテレビに接続することで、映画やゲームを大型スクリーンで楽しむことができる。しかし、使用者がスクリーンを夢中で見ている場合、ノートパソコンがスリープ状態になっていたり或いはバッテリ残量ランプが点灯していたりすることに気づかない場合がある。ノートパソコンの電力源がなくなると、ノートパソコンは自動的にシャットダウンするため、映画やゲーム等が中断されてしまう。
【発明の概要】
【発明が解決しようとする課題】
【０００３】
本発明の目的は、前記課題を解決し、電子装置の電力量を検知し、電力量が低い時に警報を発することができる電力量検知及び警報システム及びその警報装置を提供することである。
【課題を解決するための手段】
【０００４】
上記目的を達成するために、本発明に係る電力量検知及び警報システムは、バッテリと、電力量検知ユニットと、比較ユニットと、第一ＵＳＢポートと、を備える電子装置及び前記第一ＵＳＢポートに接続される第二ＵＳＢポートと、制御ユニットと、警報ユニットと、を備える警報装置を備える。前記電力量検知ユニットは、前記バッテリ及び前記比較ユニットに接続され、前記制御ユニットは、前記第二ＵＳＢポート及び前記警報ユニットに接続され、前記電力量検知ユニットは、バッテリの電力量を検知し、前記比較ユニットは、検知した電力量を参考値と比較して、検知された電力量が参考値より小さい場合、制御信号を前記第一ＵＳＢポートを介して前記第二ＵＳＢポートに送信し、前記制御ユニットは、第二ＵＳＢポートから前記制御信号を受信し、前記警報ユニットが警報を発するように制御する。
【発明の効果】
【０００５】
本発明に係る電力量検知及び警報システムは、電子装置の電力量が参考値より低下すると、警報ユニットによって警報を発することができるので、使用者に充電を促すことができる。
【図面の簡単な説明】
【０００６】
【図１】本発明の実施形態に係る電力量検知及び警報システムのブロック図である。
【発明を実施するための形態】
【０００７】
図１に示したように、本発明の実施形態に係る電力量検知及び警報システム１０は、電子装置１００及び警報装置２００を備える。電子装置１００は、バッテリ１２０と、電力量検知ユニット１６０と、比較ユニット１８０と、ＵＳＢポート１９０と、を備える。警報装置２００は、ＵＳＢポート２１０と、電圧変換ユニット２２０と、制御ユニット２３０と、ＵＳＢ制御器２５０と、警報ユニット２６０と、記憶ユニット２８０と、を備える。電力量検知ユニット１６０は、バッテリ１２０及び比較ユニット１８０に接続され、比較ユニット１８０は、ＵＳＢポート１９０に接続される。ＵＳＢポート２１０は、電圧変換ユニット２２０に接続され、制御ユニット２３０は、ＵＳＢ制御器２５０に接続される。警報ユニット２６０は、電圧変換ユニット２２０及び制御ユニット２３０に接続され、記憶ユニット２８０は、ＵＳＢ制御器２５０に接続される。
【０００８】
バッテリ１２０は、電子装置１００に電力を供給する。電力量検知ユニット１６０は、バッテリ１２０の電力量を検知し、検知した電力量を比較ユニット１８０に送信する。比較ユニット１８０は、送信されてきた検知された電力量を参考値と比較し、検知された電力量が参考値より小さい場合、制御信号をＵＳＢポート１９０に送信する。ＵＳＢポート２１０は、ＵＳＢポート１９０に接続され、電子装置１００を警報装置２００に接続させる。電圧変換ユニット２２０は、ＵＳＢポート２１０が受信した電圧を警報ユニット２６０の作動電圧に変換して、警報ユニット２６０に給電する。制御ユニット２３０は、ＵＳＢポート２１０を介して上記制御信号を受信して、警報ユニット２６０が警報を発するように制御する。ＵＳＢ制御器２５０は、ＵＳＢポート２１０が受信した記憶データを記憶ユニット２８０に記憶させ、且つ記憶ユニット２８０に記憶されたデータをＵＳＢポート２１０を介して電子装置１００に送信する。
【０００９】
一実施形態において、電子装置１００は、ノートパソコン、携帯電話、デジタルカメラなど携帯型の電子装置である。警報装置２００は、電子装置１００に接続され、且つ電子装置１００のバッテリ１２０の電力量が参考値より低い時に警報信号を発するＵＳＢフラッシュディスクである。また、警報ユニット２６０はブザーである。
【符号の説明】
【００１０】
１０  電力量検知及び警報システム
１００  電子装置
１２０  バッテリ
１６０  電力量検知ユニット
１８０  比較ユニット
１９０、２１０  ＵＳＢポート
２００  警報装置
２２０  電圧変換ユニット
２３０  制御ユニット
２５０  ＵＳＢ制御器
２６０  警報ユニット
２８０  記憶ユニット
【図１】
2015022769.tif 000003